(57)【要約】【課題】主要な構造物を全て工場で製造し、正確な製品を現場に搬入し、配力筋を挿入して結束するだけの工程を消化するだけで、コンクリート打設作業ができるので、工期は、早く労働力の縮減を提供できて、正確な中空床版橋を完成することができる床版の施工方法を提供する。【解決手段】鉄筋により中空状に形成された主桁と当該主桁を構成する鉄筋とは異なる鉄筋群と当該鉄筋群と当該主桁とを被覆し、当該鉄筋群との間に空間部を形成している鋼製型枠とで構成されており、当該鋼製型枠には、補強鋼が接着されていることを特徴とする組立式橋梁用中空床版ユニット。【選択図】図１
2008214959.tif 000002
【特許請求の範囲】
【請求項１】
鉄筋により中空状に形成された主桁と当該主桁の側面に配置された当該主桁を構成する鉄筋とは異なる鉄筋群と当該鉄筋群と当該主桁とを被覆し、当該鉄筋群との間に空間部を形成している鋼製型枠とで構成されており、当該鋼製型枠には、補強鋼が接着されていることを特徴とする組立式橋梁用中空床版ユニット。
【請求項２】
複数本の鉄筋を含む中空状の硬性材料からなる長手方向に配置された主桁部と当該主桁部の一方の側面から当該主桁部の長手方向と直交する方向の側方に延展され、内部に当該主桁部を構成する鉄筋とは異なる複数本の鉄筋群を含む延展部と、少なくとも当該主桁部と当該延展部との下面を被覆している鋼製型枠とを含み、且つ当該延展部の内部若しくは当該延展部と当該鋼製型枠との間に空間部が設けられている片持中空床版体部で構成された事を特徴とする組立式橋梁用中空床版ユニット。
【請求項３】
複数本の鉄筋を含む中空状の硬性材料からなる長手方向に配置された主桁部と当該主桁部の一方の側面から当該主桁部の長手方向と直交する方向の側方に延展された、内部に当該主桁部を構成する鉄筋とは異なる複数本の鉄筋群を含む延展部であって、少なくとも一部の当鉄筋群が当該延展部の上面が略水平面を呈する様に配置されている延展部と、当該主桁部の下面から当該延展部の下面を被覆する鋼製型枠とを含み、当該鋼製型枠は、当該主桁部の下面から当該延展部の下面に沿って側方に延展するにつれて当該上面との距離が短くなる様に設定された形状を呈しており、当該延展部の内部に空間部が形成されている片持中空床版体部で構成された事を特徴とする請求項１又は２に記載の組立式橋梁用中空床版ユニット。
【請求項４】
複数本の鉄筋を含む中空状の硬性材料からなる長手方向に配置された主桁部と当該主桁部の一方の側面から当該主桁部の長手方向と直交する方向の側方に延展された、内部に当該主桁部を構成する鉄筋とは異なる複数本の鉄筋群を含む延展部であって、少なくとも一部の当鉄筋群が当該延展部の上面が略水平面を呈する様に配置されている延展部と、当該主桁部の下面から当該延展部の下面を被覆する鋼製型枠とを含み、当該鋼製型枠は、当該主桁部の下面から当該延展部の下面に沿って側方に延展するにつれて当該上面との距離が短くなる様に設定された形状を呈しており、当該延展部の内部に空間部が形成されている第１の片持中空床版体と、複数本の鉄筋を含む中空状の硬性材料からなる長手方向に配置された主桁部と当該第１の片持中空床版体に於ける延展方向とは反対の方向に当該主桁部の他方の側面から当該主桁部の長手方向と直交する方向の側方に延展された、内部に当該主桁部を構成する鉄筋とは異なる複数本の鉄筋群を含む延展部であって、少なくとも一部の当鉄筋群が当該延展部の上面が略水平面を呈する様に配置されている延展部と、当該主桁部の下面から当該延展部の下面を被覆する鋼製型枠とを含み、当該鋼製型枠は、当該主桁部の下面から当該延展部の下面に沿って側方に延展するにつれて当該上面との距離が短くなる様に設定された形状を呈しており、当該延展部の内部に空間部が形成されている第２の片持中空床版体部とで構成された組立式橋梁用中空床版ユニット。
【請求項５】
当該鋼製型枠には、補強鋼が設けられている事を特徴とする請求項２乃至４の何れかに記載の組立式橋梁用中空床版ユニット。
【請求項６】
請求項１乃至５の何れかに記載された当該組立式橋梁用中空床版ユニットは、工場で形成されるものである事を特徴とする組立式橋梁用中空床版ユニット。
【請求項７】
当該一対の組立式橋梁用中空床版ユニットの片持中空床版体部に於ける延展部及び主桁部を構成するそれぞれの上面に配置されている鉄筋群に配力筋が付加されている事を特徴とする請求項２乃至６の何れかに記載の組立式橋梁用中空床版ユニット。
【請求項８】
請求項１乃至７の何れかに記載された当該組立式橋梁用中空床版ユニットの少なくとも２個を、若しくは当該第１と第２の片持中空床版体部を橋梁の建設現場に於いて、当該各ユニットにおける当該主桁部が互いに対向して並列して配置させると共にそれぞれの上面が略水平となる様に互いに対向させる様に配列してその両者の相互に対向する端部同士を適宜の方法で接続した事を特徴とする組立式橋梁用中空床版。
【請求項９】
請求項１乃至７の何れかに記載された少なくとも２個の当該組立式橋梁用中空床版ユニットを対向させて隣接配列するに際し、複数本の鉄筋を含む中空状の硬性材料からなる別の主桁部が当該一対の組立式橋梁用中空床版ユニットの間に追加されている事を特徴とする請求項８に記載の組立式橋梁用中空床版。
【請求項１０】
請求項１乃至７の何れかに記載された少なくとも２個の当該組立式橋梁用中空床版ユニットを対向させて隣接配列するに際し、当該対向する両主桁部間に適宜の中空体部が介在している事を特徴とする請求項８に記載の組立式橋梁用中空床版。
【請求項１１】
当該間挿された当該中空体部の上面には、当該一対の組立式橋梁用中空床版ユニットの上面と略同一平面を形成する鉄筋を含む上面が配置形成され、且つ当該間挿された中空体部の下面には、当該対の組立式橋梁用中空床版ユニットの下面に配置されている鋼製型枠と同じ構成型枠が配置されている事を特徴とする請求項１０に記載の組立式橋梁用中空床版。
【請求項１２】
当該一対の組立式橋梁用中空床版ユニットの当該対向する両主桁部間に複数個の適宜の中空体部を介在させると共に、当該複数個の中空体部の間に更に、別に構成された、複数本の鉄筋を含む中空状の硬性材料からなる独立主桁部が配置せしめられている事を特徴とする請求項９又は１０に記載の組立式橋梁用中空床版。
【請求項１３】
当該一対の組立式橋梁用中空床版ユニットに於ける延展部及び主桁部を構成するそれぞれの上面に配置されている鉄筋群に配力筋が付加されている事を特徴とする請求項８乃至１２の何れかに記載の組立式橋梁用中空床版。
【請求項１４】
当該鋼製型枠内部の当該鉄筋により形成された空間部内にコンクリートが注入されている事を特徴とする請求項８乃至１３の何れかに記載の組立式橋梁用中空床版。
【請求項１５】
上記した請求項１乃至７の何れかに記載された当該組立式橋梁用中空床版ユニットを橋台上又は橋脚上に架設搭載させる工程と当該組立式橋梁用中空床版ユニットを一対ずつ相互に接続する工程と、当該組立てられた組立式橋梁用中空床版の空間領域内にコンクリートを注入する工程とから構成されている事を特徴とする中空床版橋梁の施工方法。
【発明の詳細な説明】
【技術分野】
【０００１】
本発明は、橋梁の一建設方法である中空床版橋、中空床版橋を構成する為の組立式橋梁用中空床版ユニット、組立式橋梁用中空床版及び中空床版橋梁の施工方法に関するものである。
【背景技術】
【０００２】
一般の中空床版橋は、建設場所の地面より鋼材等の支保工という仮設材を構築する。その支保工上に型枠材を並べて型枠工事とし、その内側に鉄筋を組み立てて中空部用のボイド管を設置後、コンクリートを注入して乾燥養生後に型枠材を解体して完成させる施工方法が、最も多く採用されている。
【０００３】
即ち、従来の中空床版橋は、図４に示す通り、中空床版橋２は、鉄筋６とコンクリート５の構成体である。
そして、その施行方法としては、一般的には、図３から理解されるように、一般的な中空床版橋を建設するには、支保工１０により型枠１９を支えた上で、鉄筋６を組み立てた後にコンクリート５を注入する方法である。
【０００４】
係る従来の施行方法にあっては、当該型枠１９を造る人を型枠工、当該鉄筋を組み立てる人を鉄筋工と称してそれぞれ熟練者が、施工するため、熟練工の不足や工事費の高騰、工事施工日数の負担が、多いことが、現状である。
【０００５】
更に、図８に示す様に、コンクリートミキサー車１４或はポンプ車１２等を使用して当該中空床版橋２のコンクリート５注入が完了し、コンクリート５が硬化した後、図３で示す型枠１９、支保工１０、１８はすべて解体し現場外に撤去されて完成となる。
【０００６】
この施工方法は、型枠材１９の現場での製作や撤去をしなければならず、高コストの橋梁となっている。また中空床版橋の外形線を現場で型枠職人の技能で製作する為極めて難易度が高く熟練度を必要としている。
【発明の開示】
【発明が解決しようとする課題】
【０００７】
従って本発明の目的は、上記した従来技術の難点を改良し、運搬や施工作業が容易で、工期は短く、しかも製作及び施工コストが低くて、さらに高い耐久性と均一性を備えた中空床版橋を建設するための、組立式橋梁用中空床版ユニット、組立式橋梁用中空床版並びに中空床版橋梁の施工方法を提供するものである。
【課題を解決するための手段】
【０００８】
本発明は、上記した目的を達成するため、以下に記載されたような、基本的な技術構成を採用するものである。
即ち、本発明の第１の態様としては、鉄筋により中空状に形成された主桁と当該主桁の側面に配置された当該主桁を構成する鉄筋とは異なる鉄筋群と当該鉄筋群と当該主桁とを被覆し、当該鉄筋群との間に空間部を形成している鋼製型枠とで構成されており、当該鋼製型枠には、補強鋼が接着されていることを特徴とする組立式橋梁用中空床版ユニットであり、又、第２の態様としては、上記した当該組立式橋梁用中空床版ユニットの少なくとも２個を橋梁の建設現場に於いて、当該各ユニットにおける当該主桁部が互いに対向して並列して配置させると共にそれぞれの上面が略水平となる様に互いに対向させる様に配列してその両者の相互に対向する端部同士を適宜の方法で接続した事を特徴とする組立式橋梁用中空床版である。
【０００９】
更に、本発明に於ける第３の態様としては、当該組立式橋梁用中空床版ユニットを橋台上又は橋脚上に架設搭載させる工程と当該組立式橋梁用中空床版ユニットを現場で支える支保工と、当該組立式橋梁用中空床版ユニットで構成された組立式橋梁用中空床版の該空間領域内にコンクリートを注入する工程とから構成されている事を特徴とする中空床版橋梁の施工方法である。
【発明の効果】
【００１０】
本発明に係る当該組立式橋梁用中空床版ユニット、組立式橋梁用中空床版及び中空床版橋梁の施工方法は、上記した様な技術構成を採用しているので、基本的には主構成体は、工場にて製作される構造を有する事によって、従来の中空床版橋と異なり、現場での工数を低く抑えることが可能となり、解体費を省略することによりコストを低減するのみならず、補強鋼の採用により鋼製型枠の耐久性を向上し、補強鋼を強度部材として鋼製型枠保護材に組み込むことによって安全性、耐久性の完成度が高い中空床版橋が完成するものである。
【００１１】
さらに、資材の運搬作業や、施工作業を容易に行うことができるようになるので、工期と工事費を低減することが可能となる。
【発明を実施するための最良の形態】
【００１２】
以下に本発明に係る組立式橋梁用中空床版ユニット１１及び組立式橋梁用中空床版２０ならびに中空床版橋梁の施工方法の幾つかの具体例を図面を参照しながら詳細に説明する。
【００１３】
先ず、図１は、本発明に於ける組立式橋梁用中空床版２０の一具体例に於ける内部構造の概略を示す、当該組立式橋梁用中空床版２０の長手方向と直交する面で見た断面図である。
【００１４】
当該図１から理解できる通り、本発明に於ける当該組立式橋梁用中空床版２０は、当該橋梁の長手方向に沿った両側の端縁部を構成する一対の組立式橋梁用中空床版ユニット１１と、当該一対の組立式橋梁用中空床版ユニット１１間に配置挿入されている一つ或は複数個の独立した中間主桁部１２と中空体部７とが相互に接続されて一体化されたものであり、当該組立式橋梁用中空床版は最終的には、その内部空間部にコンクリートが注入されて完成されるものである。
【００１５】
本発明に於いては、先ず、図２に示す様な構造を有する組立式橋梁用中空床版ユニット１１を橋梁の建設現場以外の工場等で、設計通りに正確に製造するものである。
【００１６】
即ち、本発明に係る当該組立式橋梁用中空床版ユニット１１は、図１に示す当該橋梁２０の長手方向に沿った両側の端縁部をそれぞれ構成する部材であって、例えば、鉄筋６により中空状に形成された主桁１７と当該主桁１７の側面に配置された当該主桁１７を構成する鉄筋６とは異なる鉄筋群６’と当該鉄筋群６’と当該主桁１７とを被覆し、当該鉄筋群’６との間に空間部３０を形成している鋼製型枠９とで構成されており、当該鋼製型枠９には、補強鋼８が接着されている構成を有する組立式橋梁用中空床版ユニット１１である。
【００１７】
又、本発明に於ける当該組立式橋梁用中空床版ユニット１１の他の具体例としては、複数本の鉄筋６を含む中空状の硬性材料からなる長手方向に配置された主桁部１７と当該主桁部１７の一方の側面から当該主桁部１７の長手方向と直交する方向の側方に延展され、内部に当該主桁部１７を構成する鉄筋６とは異なる複数本の鉄筋群６’を含む延展部３３と、少なくとも当該主桁部１７と当該延展部３３との下面３２を被覆している鋼製型枠９とを含み、且つ当該延展部３３の内部若しくは当該延展部３３と当該鋼製型枠９との間に空間部３０が設けられている片持中空床版体部１１で構成されているものであっても良い。
【００１８】
より詳細に説明するならば、当該組立式橋梁用中空床版ユニット１１は、複数本の鉄筋６を含む中空状の硬性材料からなる長手方向に配置された主桁部１７と当該主桁部１７の一方の側面から当該主桁部１７の長手方向と直交する方向の側方に延展された、内部に当該主桁部１７を構成する鉄筋６とは異なる複数本の鉄筋群６’を含む延展部３３であって、少なくとも一部の当鉄筋群６’が当該延展部３３の上面３１が略水平面を呈する様に配置されている延展部３３と、当該主桁部１７の下面から当該延展部３３の下面３２を被覆する鋼製型枠９とを含み、当該鋼製型枠９は、当該主桁部１７の下面から当該延展部３３の下面に沿って側方に延展するにつれて当該上面３１との距離が短くなる様に設定された形状を呈しており、当該延展部３３の内部に空間部３０が形成されていると言う構成を有するものであっても良い。
【００１９】
更に、具体的に例示するならば、本発明に於ける当該組立式橋梁用中空床版ユニット１１は、１対の略同じ構成を有するが断面形状が互いに対象的に構成された組立式橋梁用中空床版ユニット１１を使用するものであり、これが一つのキットとなる。
【００２０】
即ち、複数本の鉄筋６を含む中空状の硬性材料からなる長手方向に配置された主桁部１７（図１及び図２でＧ３として示されている）と当該主桁部１７の一方の側面から当該主桁部１７の長手方向と直交する方向の側方に延展された、内部に当該主桁部１７を構成する鉄筋６とは異なる複数本の鉄筋群６’を含む延展部３３であって、少なくとも一部の当鉄筋群６’が当該延展部３３の上面３１が略水平面を呈する様に配置されている延展部３３と、当該主桁部１７の下面から当該延展部３３の下面を被覆する鋼製型枠９とを含み、当該鋼製型枠９は、当該主桁部１７の下面から当該延展部３３の下面に沿って側方に延展するにつれて当該上面３１との距離が短くなる様に設定された形状を呈しており、当該延展部３３の内部に空間部が形成されている第１の片持中空床版体１１−１と、複数本の鉄筋６を含む中空状の硬性材料からなる長手方向に配置された主桁部１７と当該第１の片持中空床版体１１−１に於ける延展方向とは反対の方向に当該主桁部１７の他方の側面から当該主桁部１７の長手方向と直交する方向の側方に延展された、内部に当該主桁部１７を構成する鉄筋６とは異なる複数本の鉄筋群６’を含む延展部３３であって、少なくとも一部の当鉄筋群６’が当該延展部３３の上面３１が略水平面を呈する様に配置されている延展部３３と、当該主桁部１７の下面から当該延展部３３の下面を被覆する鋼製型枠９とを含み、当該鋼製型枠９は、当該主桁部１７の下面から当該延展部３３の下面に沿って側方に延展するにつれて当該上面３１との距離が短くなる様に設定された形状を呈しており、当該延展部３３の内部に空間部３０が形成されている第２の片持中空床版体部１１−２とで構成された組立式橋梁用中空床版ユニット１１である。
【００２１】
本発明に於ける当該組立式橋梁用中空床版ユニット１１の断面形状や長さ或は幅等の寸法等は、適宜に決定できるものであり、建設される橋梁の長さ及び幅に応じて任意に決定されるものである。
【００２２】
此処で、本発明に於いて使用される当該組立式橋梁用中空床版ユニット１１の構造を更に詳細に説明するならば、本発明に於いて使用される当該組立式橋梁用中空床版ユニット１１のそれぞれの部材は、鋼製であることが望ましいもののプラスチック、セラミックス、アルミニウム、ステンレス、炭素繊維などの材質も状況によって選択することが可能である。
【００２３】
更に、当該組立式橋梁用中空床版ユニット１１に於けるそれぞれの部材の構造の具体的な例が図７に示されており、図７から明らかな通り、当該主枠部１７は、複数本の鉄筋６によって中空状に構成され、場合によっては、当該鉄筋６の外部を適宜の硬性を有する材料からなる板状体で被覆したものであっても良い。
【００２４】
更に当該主枠部１７の内部を構成する鉄筋６は、相互に対向する両端部が内側に湾曲している鉄筋が互いに空間を空けて対向して配置されると同時にそれぞれが隣接して並列的に配置されているものであっても良い。
尚、当該鉄筋６の配列方向と直交して適宜の補強鉄筋４０が挿入されていても良い。
【００２５】
一方、当該組立式橋梁用中空床版ユニット１１の延展部３３は、図示の通り、長手方向に並列的に例えば２段に配置された複数の鉄筋６’とそれに直交する方向で交差配置されている補助鉄筋４１が挿入されている。
【００２６】
尚、本発明に於ける当該延展部３３における当該空間部３０は、当該延展部３３を形成する鉄筋群６’間に形成されているものであってもよく、或は当該延展部３３の当該鉄筋群６’と当該鋼製型枠９との間に形成されるものであっても良い。
【００２７】
そして、当該延展部３３と当該主枠部１７の上面には、適宜の本数の配力筋２１が当該組立式橋梁用中空床版ユニット１１の長手方向と直交する方向に配置されている事が望ましい。
【００２８】
尚、当該組立式橋梁用中空床版ユニット１１−１及び１１−２における当該上面３１は、水平面を構成することが望ましい。
本発明に於いては、上記した構成を有する複数個の組立式橋梁用中空床版ユニット１１が工場で製造されるものである。
【００２９】
従って、本発明では、予め判っている橋梁全体の設計から、当該橋梁の長手方向の両端部に相当する部分を組立式橋梁用中空床版ユニット１１として必要な個数を製造し、それらを橋梁の建設現場に搬入して橋台あるいは橋脚上に搭載せしめるものである。
【００３０】
尚、図１或は図７における当該組立式橋梁用中空床版ユニット１１の端部には、必要に応じて適宜の高さを有する後工程でコンクリートが注入される高欄３を設ける事も出来る。
【００３１】
又、本発明に於いては、当該鋼製型枠９の材質としては、鋼製のものを選択しているが、その他プラスチック、セラミックス、アルミニウム、ステンレス、炭素繊維などの材質も状況によって選択する事も可能である。
【００３２】
更にこの鋼製型枠９に補強鋼８を圧着することによって、コンクリートを流した時の重量によるたわみを防止する事が出来る。
尚、本発明に於ける当該第１の片持中空床版体１１−１と当該第２の片持中空床版体１１−２とは同一の設計として製造し、使用時に配置方向を逆にして使用するものであっても良い。
【００３３】
次に、本発明に於いては、基本的には、橋梁の建設現場に於いて、所定の橋桁或は橋台上に上記した一対の組立式橋梁用中空床版ユニット１１である当該第１及び第２の片持中空床版体１１−１と１１−２とを当該それぞれの片持中空床版体に含まれる当該主枠部１７同士（つまり、図２に於いてはＧ１とＧ３に相当する）が相互に対向する様に配置してその対向する端部同士を適宜の結束装置を使用して結束して接続するものである。
【００３４】
本発明に於ける別の具体例としては、当該一対の組立式橋梁用中空床版ユニット１１を対向配置する際に、当該組立式橋梁用中空床版ユニット１１とは別途に形成した別の主枠体部１７’（前記した中間主桁１２に相当する）或は適宜の中空断面形状を有する中間中空体部７の一つあるいは複数個をその間に介在させるものであってもよく、その双方を適宜混在した形で介在させたものであっても良い。
【００３５】
即ち、図１の具体例では、当該一対の組立式橋梁用中空床版ユニット１１との間に１個の別の主枠部１７’と２個の中間中空部７とを混在させて配置した例が示されている。
【００３６】
尚、本発明に於ける当該別の主枠体部１７の基本的な構成は、上記した主枠部１７と同じ構造を有している事も望ましい。
即ち、本発明に於ける当該組立式橋梁用中空床版１は、上記した個々の組立式橋梁用中空床版ユニット１１を少なくとも２個使用するか、若しくは当該第１と第２の組立式橋梁用中空床版ユニット１１を橋梁の建設現場に於いて、当該各ユニット１１における当該主桁部１７が互いに対向して並列して配置させると共にそれぞれの上面３１が略水平となる様に互いに対向させる様に配列してその両者の相互に対向する端部同士を適宜の方法で接続した事を特徴とする組立式橋梁用中空床版１である。
【００３７】
そして、本発明の他の具体例では、少なくとも２個の当該組立式橋梁用中空床版ユニット１１を対向させて隣接配列するに際し、複数本の鉄筋を含む中空状の硬性材料からなる別の主桁部１７’が当該一対の組立式橋梁用中空床版ユニット１１の間に追加されているか或は、当該対向する両主桁部１７間に適宜の中空体部７が介在している組立式橋梁用中空床版である。
【００３８】
尚、本発明に於ける当該組立式橋梁用中空床版１に有っては、当該間挿された当該中空体部７の上面には、当該一対の組立式橋梁用中空床版ユニットの上面３１と略同一平面を形成する鉄筋６’を含む上面が配置形成され、且つ当該間挿された中空体部７の下面には、当該１対の組立式橋梁用中空床版ユニット１１の下面に配置されている鋼製型枠９と同じ構成型枠９’が配置されている事が望ましい。
【００３９】
更に、本発明に於いては、当該鋼製型枠９内部の当該鉄筋６’により形成された空間部３０内にコンクリート５が注入されている組立式橋梁用中空床版１が得られるのである。
【００４０】
次に、本発明に於ける中空床版橋梁の施工方法としては、例えば、上記した当該組立式橋梁用中空床版ユニット１１を橋台上又は橋脚上に架設搭載させる工程と当該組立式橋梁用中空床版ユニットを一対ずつ相互に接続する工程と、当該組立てられた組立式橋梁用中空床版の空間領域内にコンクリートを注入する工程とから構成されている中空床版橋梁の施工方法である。
【００４１】
以下に上記中空床版橋梁の施工方法の具体例を詳細に説明する。
当該中空床版橋梁の施工方法は、図３に示されている様に、支保工１０をまず組み立てる。この工程は従来の中空床版橋建設方法と同様である。次に図２に示される本発明に係る当該組立式橋梁用中空床版ユニット１１を工場製作するが、図２或は図７に示すように片持ち部中空床版体１１や、別の主枠部１７’及び中間中空体部７をそれぞれ工場製作する。
【００４２】
次に当該支保工１０に工場で製作された組立式橋梁用中空床版ユニット１１の部材を架設する。
更に図１に示す様に、当該橋梁の幅に応じて、必要とされる当該別の主枠部１７’及び中間中空体部７を適宜挿入して設置する。
【００４３】
即ち図１で示すとおり、工場製作された組立式橋梁用中空床版ユニット１１は、トラック等により現場まで運搬されて、クレーン等により順序正しく架設されてゆく。
【００４４】
ただし、当該組立式橋梁用中空床版ユニット１１を架設する以前の工程としては、橋台２及び橋脚３はもとより、支保工１０が既に架設されていることが、前提となる。
【００４５】
さらに図２で、示すとおり、組立式橋梁用中空床版ユニット１１は、所定の順序で、架設敷設された後に図１で示す配力筋２１を挿入し主桁部１７の鉄筋６及び片持ち部中空床版体１１の延展部３３に於ける別の鉄筋６’とを適宜の鉄線により結束する。
【００４６】
これにより鉄筋コンクリートの主材である圧縮側、引張側の主部材である配筋が完了する。
配力筋２１の緊結が完了すると、図８に示す様に、当該組立式橋梁用中空床版ユニット１１の内部にコンクリートを流し込み養生期間を経て床版は、完成する。
【００４７】
本発明における当該組立式橋梁用中空床版ユニット１１の製作方法の他の具体例について説明する。図５は、当該組立式橋梁用中空床版ユニット１１の１部を示したものである。鋼製型枠９には補強鋼８がリベットによって圧着固定される。
【００４８】
なお図５で示すとおり、鋼製型枠９と補強鋼８は工場で組立て製作されるが、この部材はコンクリート５が硬化した後も存置されるものとする。これは中空床版橋コンクリートを劣化保護するためのものである。
【００４９】
その後、支保工１０を解体撤去することにより、中空床版橋２が完成する。
本発明において、最も特徴的であるものは、これまで中空床版橋の建設はすべての工程が、現場で施工されていたのもが、大部分の工程が工場製作されていることである。これによって、工期が大幅に縮減されることはもとより、鉄筋などの間隔、制度が向上することによって、耐久性の高い中空床版橋が出来るものである。
【００５０】
更に、本発明に含まれる鋼製型枠９が、建設完了後も存置されることによって、コンクリートの風化による劣化を防ぐ役割をも持つものである。当該中空床版橋２に於いては、弱点と言われてきた表面劣化をこれにより防止した。
又、本発明に係る当該組立中空床版体１内に打設されるコンクリートは、当該組立式橋梁用中空床版ユニット１１内に均一に打設されることが、望ましい。
【００５１】
又、本発明に係る組立式橋梁用中空床版ユニット１１内に打設するコンクリートが、下部に漏れないことが望ましい。
一方、本発明に係る当該組立式橋梁用中空床版ユニット１１に於ける本体の長手方向の少なくとも一方の端部に、他の組立式橋梁用中空床版ユニット１１の本体部の端部を接続連結固定させる固定部材が設けられている事が望ましい。
【００５２】
係る、固定部材の構造は特に限定されるものではないが、従来公知の連結手段を使用する事が可能である。
次に本発明に係る当該床版の施工方法について図１を参照しながら説明する。先ず図２のとおりそれぞれの部材、組立中空床版体１を製造する工場或いは施工現場に於いて、複数個の組立中空床版体１をトラックなどに積載して現場に搬入し、クレーン等により組立式橋梁用中空床版ユニット１１を１体ずつ順序正しく架設をする。
【００５３】
組立式橋梁用中空床版ユニット１１を数体敷設したところで、配力筋２１を挿入し主桁鉄筋体１７との交点を細い鉄線などにより緊結する。
上記作業を繰り返すことにより、床版の敷設が、完了し、コンクリートを最後に全体に打設することにより完成する。
【００５４】
コンクリートが固化すると、コンクリート、組立式橋梁用中空床版ユニット１１が一体化して、剛性構造となり、大きな剛性をもち、しかも中空床版橋に比べて高い剛性の中空床版橋２ができるので、従来の技術を使用した場合より耐久性が向上する。
【００５５】
また、組立中空床版体１の本体が床版の外壁を構成することになるので、コンクリート型枠を組んだり外したりする必要がない。
さらに、高欄３を建設する工程に関しては、外側の仮設材をまったく設けずに高欄３を完成することが可能となる。
【００５６】
即ち、本発明に於ける中空床版橋の施工方法としては、基本的には、上記した構成からなる当該組立中空床版体１を支保工や橋台上又は橋脚上、に敷設する工程及び当該組立中空床版体１の該空間領域内にコンクリートを注入する工程とから構成されているものであり、又他の態様としては、複数の当該組立式橋梁用中空床版ユニット１１を一定の方向に直線的に配置隣接させ、それぞれの当該組立中空床版体の互いに隣接する端部同士を互いに連結する工程、当該連結された組立中空床版体を支保工、橋台又は橋脚上に架設搭載させる工程とから構成されている床版の施工方法である。
【００５７】
以上本発明の実施の形態について詳述してきたが、具体的な構成は、この実施の形態に限られるものではなく、本発明の要旨を逸脱しない範囲における設計の変更などがあっても本発明に含まれる。
【００５８】
以上のように本発明によれば、従来の中空床版橋は、全ての工程を現場で、製作する工法と違って、主要な構造物を全て、工場で行い、正確な製品を現場に搬入し、わずか、配力筋を挿入して結束するだけの工程を消化するだけで、コンクリート打設作業ができるので、工期は、早く労働力の縮減を提供できて、正確な中空床版橋を完成することができる。
【００５９】
さらに、強度面に於いて従来の中空床版橋の最大の欠点であった、コンクリート表面の劣化を防止し、堅固な中空床版橋を完成することが可能になったことと、コスト面においては、資材の運搬作業や、施工作業を容易に行うことができるようになるので、工事費を大幅に低減することが可能となる。
【図面の簡単な説明】
【００６０】
【図１】図１は、本発明の組立式橋梁用中空床版の一具体例の構成を示す断面図である。
【図２】図２は、本発明の組立式橋梁用中空床版ユニットの個別的構成を示す断面図である。
【図３】図３は、従来の中空床版橋建設方法を示す断面図である。
【図４】図４は、本発明の中空床版橋梁の完成時における断面構造を示す断面図である。
【図５】図５は、本発明の鋼製型枠と補強鋼の構造を示す斜視図である。
【図６】図６は、本発明の完成時における橋梁全体の側面図である。
【図７】図７は本発明の片持ち部中空床版体１１の構成の具体例を示す斜視図である。
【図８】図８はコンクリート５の流し込みの工程における施工状況を示す断面図である。
【符号の説明】
【００６１】
１…組立式橋梁用中空床版ユニット
２…中空床版橋
３…高欄
４…主桁部
５…コンクリート
６…鉄筋
６’…別の鉄筋
７…中間中空部
８…補強鋼
９…鋼製型枠
１０…支保工
１１…組立式橋梁用中空床版ユニット、片持ち部中空床版体
１２…中間主枠部
１３…ポンプ車
１５…橋脚
１６…橋台
１７…主桁部
１７’…別の主枠部
１８…木製型枠支保工
１９…木製型枠
２０…アスファルト舗装
２１…配力筋
３０…空間部
３１…上面
３２…下面
３３…延展部
【図１】
2008214959.tif 000003
【図２】
2008214959.tif 000004
【図３】
2008214959.tif 000005
【図４】
2008214959.tif 000006
【図５】
2008214959.tif 000007
【図６】
2008214959.tif 000008
【図７】
2008214959.tif 000009
【図８】
2008214959.tif 000010